(57)【特許請求の範囲】
【請求項１】
グリップの先端に、これと直交することになるカミソリ刃を保持するヘッドを、間に指の差し入れを可能にする指入れ空間を形成することになる２本の略板状の連結部によって連結し、このヘッド及びこれに保持させた前記カミソリ刃を刃カバーによって包み込めるようにしたＴ型安全カミソリにおいて、
前記刃カバーに、これにより前記カミソリ刃等を包み込んだとき、前記ヘッドまたはカミソリ刃に形成した第一係止部分に係合する第一係合部を形成し、
かつ、この刃カバーに、これが外されて前記グリップの内側に回動されたとき、グリップ側の第二係止部分に係合する第二係合部を形成するとともに、
前記刃カバーが前記ヘッドから外されて前記グリップの内側に回動され、この刃カバーの前記第二係合部がグリップ側の前記第二係止部分に係合したとき、前記指入れ空間から連結部の反対側に差し込んだ指によって押すことのできる突出部を前記刃カバーに形成したことを特徴とする刃カバーを有するＴ型安全カミソリ。
【発明の詳細な説明】
【０００１】
【発明の属する技術分野】
本発明は、Ｔ型安全カミソリに関し、特にそのカミソリ刃部分を包み込む刃カバーを有するＴ型安全カミソリに関するものである。
【０００２】
【従来の技術】
Ｔ型安全カミソリは、手に持って使用するのに非常に便利であることから種々なものが提案されてきており、特に近年では、所謂使い捨てのものとしても開発が進んできている。そして、この種の使い捨てされるＴ型安全カミソリでは、そのカミソリ刃部分を刃カバーによって包み込むようにすることがなされている。
【０００３】
従来の刃カバーは、本体とは別体のものとして形成されていたため本体から分離して、そのまま浴室の洗い場上に転がっていってしまうことがあった。この種の刃カバーは、小さいものであり、洗い場のタイルや目地と区別が付かなくなって探すのが大変であったし、場合によってはこの刃カバーが落ちていることを知らずに踏んでしまうということがあった。
【０００４】
このため、本発明者等は、例えば図７に示したように、実用新案登録第３０２５６５５号等において、この刃カバーをヘッドに対して回転自在となるようにしたＴ型安全カミソリを提案したのである。これにより、刃カバーが本体側に繋がっていて脱落することがないため、前述したような問題はなくなった。
【０００５】
しかしながら、この図７に示した従来の刃カバー付き安全カミソリでは、外した刃カバーの処理を十分考慮していなかったため、使用時に先端部分でフラフラすることもあって、少し使い辛いものとなっていた。また、使い捨てといっても、この種の安全カミソリは、通常２〜３回位は使用可能であるものであるから、その再使用する場合のために、一旦外した刃カバーは再度カミソリ刃を包み込むようにしなければならない。ところが、図７に示した従来の刃カバー付き安全カミソリでは、その外した刃カバーが収納部内に入ったままとなっている場合に、これを外すことが何らの手がかりもないことから困難であったのである。
【０００６】
そこで、本発明者は、刃カバーをヘッドに回動自在に設けることのメリットをさらに高めるにはどうしたらいか、について検討をしてきた結果、本発明を完成したのである。
【０００７】
【発明が解決しようとする課題】
本発明は、以上の経緯に基づいてなされたもので、その解決しようとする課題は、この種の刃カバーを有するＴ型安全カミソリの使用勝手をさらに向上させることである。
【０００８】
すなわち、本発明の目的とするところは、刃カバーによるカミソリ刃の包み込み状態及び開放状態の両状態を確実に維持することができることは当然として、開放状態にあった刃カバーの再度の閉止状態への操作を簡単に行えるようにすることのできる刃カバーを有するＴ型安全カミソリを簡単な構成によって提供することにある。
【０００９】
【課題を解決するための手段】
以上の課題を解決するために、本発明の採った手段は、後述する実施の形態の説明中において使用する符号を付して説明すると、
「グリップ１０の先端に、これと直交することになるカミソリ刃３０を保持するヘッド２０を、間に指の差し入れを可能にする指入れ空間１６を形成することになる２本の略板状の連結部１５によって連結し、このヘッド２０及びこれに保持させたカミソリ刃３０を刃カバー４０によって包み込めるようにしたＴ型安全カミソリ１００において、
刃カバー４０に、これによりカミソリ刃３０等を包み込んだとき、ヘッド２０またはカミソリ刃３０に形成した第一係止部分５１に係合する第一係合部４１を形成し、
かつ、この刃カバー４０に、これが外されてグリップ１０の内側に回動されたとき、グリップ１０側の第二係止部分５２に係合する第二係合部４２を形成するとともに、
刃カバー４０がヘッド２０から外されてグリップ１０の内側に回動され、この刃カバー４０の第二係合部４２がグリップ１０側の第二係止部分５２に係合したとき、指入れ空間１６から連結部１５の反対側に差し込んだ指によって押すことのできる突出部４３を刃カバー４０に形成したことを特徴とする刃カバー４０を有するＴ型安全カミソリ１００」
である。
【００１０】
すなわち、本発明に係るＴ型安全カミソリ１００は、グリップ１０の先端に、これと直交することになるカミソリ刃３０を保持するヘッド２０を連結し、このヘッド２０及びこれに保持させたカミソリ刃３０を刃カバー４０によって包み込めるようにしたものである。また、このＴ型安全カミソリ１００は、カミソリ刃３０等を包み込んだ刃カバー４０における閉止状態の維持を、ヘッド２０またはカミソリ刃３０に形成した第一係止部分５１と、これに係合するように刃カバー４０に形成した第一係合部４１とによって行うようにし、また開放された刃カバー４０の開放状態の維持を、グリップ１０側の第二係止部分５２と、これに係合するように刃カバー４０に形成した第二係合部４２とによって行うようにしたものである。
【００１１】
換言すれば、カミソリ刃３０等を包み込んだ刃カバー４０における閉止状態の維持は、図３中の実線にて示すように、刃カバー４０に形成した第一係合部４１が、カミソリ刃３０（以下の実施形態では３枚の刃を一つのケース内にまとめて一体化したものである）の刃先とは反対側にできている突起である第一係止部分５１に係合することによりなされるのである。一方、開放された刃カバー４０の開放状態の維持は、図３中の仮想線にて示すように、刃カバー４０に形成した第二係合部４２が、グリップ１０側の第二係止部分５２に係合することによってなされるのである。
【００１２】
そして、このＴ型安全カミソリ１００では、開放されてグリップ１０側に維持されている刃カバー４０の突出部４３が、グリップ１０のヘッド２０に対する連結を行っている２本の連結部１５間に形成されている指入れ空間１６内に臨むようにしてあるから、この指入れ空間１６から指を差し入れて突出部４３を押せば、グリップ１０側の第二係止部分５２と、刃カバー４０に形成した第二係合部４２との係合を簡単に外せるようにしたものである。
【００１３】
つまり、このＴ型安全カミソリ１００を再使用するために、刃カバー４０によるカミソリ刃３０等の再包み込みを行うに当たって、当然刃カバー４０に形成した第二係合部４２とグリップ１０側の第二係止部分５２との係合を外さなければならないが、その操作は、図２の（イ）に示した２本の連結部１５間にある指入れ空間１６内に指を差し入れることにより、迷うことなく簡単に行えるのである。なお、刃カバー４０のヘッド２０またはカミソリ刃３０に対する閉止状態の開放は、図３中の実線にて示示した部分の内、図示左方部分に突出する部分に指を掛ければ、簡単に行えることはいうまでもない。
【００１４】
また、このＴ型安全カミソリ１００においては、２本の連結部１５が指入れ空間１６を形成するために大きく開いているため、この指入れ空間１６を指を入れるのに十分な大きさのものとしているだけでなく、各連結部１５は、力が加えられる方向に対して板状のものに形成してあったから強度が高く、グリップ１０のヘッド２０に対する連結を確実に行っているのである。
【００１５】
従って、本発明に係るＴ型安全カミソリ１００は、刃カバー４０によるカミソリ刃３０の包み込み状態及び開放状態の両状態を確実に維持することができることは当然として、開放状態にあった刃カバー４０の再度の閉止状態への操作を、２本の連結部１５間に形成されている指入れ空間１６内に指を差し入れることにより、簡単に行えるものとなっているのである。
【００１６】
【発明の実施の形態】
次に、上記のように構成した本発明を図面に示した実施の形態であるＴ型安全カミソリ１００について説明すると、図１には、本発明に係るＴ型安全カミソリ１００の上部であって、刃カバー４０を外した状態の部分拡大斜視図が示してある。このＴ型安全カミソリ１００は、グリップ１０と、このグリップ１０の先端に連結部１５によって一体化したヘッド２０と、これに支持されてグリップ１０と直交することになるカミソリ刃３０と、このカミソリ刃３０及びこれを保持するヘッド２０を包み込むことになる刃カバー４０とによって構成したものである。
【００１７】
グリップ１０は、図３に示したように、合成樹脂等を材料として一体成形した本体１１と、この本体１１に組付けられるかモールド成形される合成ゴム等の弾性材料からなる滑り止め体１２とからなるものである。本体１１の一部には、滑り止め体１２の一部が露出することになる穴が形成してあり、これから露出した滑り止め体１２は、図２の（イ）及び（ロ）に示したように、表面側滑り止め面１３となるものであり、また図２の（ハ）に示したように、裏面側滑り止め面１４となるものである。
【００１８】
これらの表面側滑り止め面１３及び裏面側滑り止め面１４は、当該Ｔ型安全カミソリ１００の使用中における文字通りの滑り止めの役目を果たすものであるが、その元である滑り止め体１２が弾性材料によって形成したものであったから、持ったときに手に柔らかい感触を与えて、使用し易くしているものである。
【００１９】
また、このＴ型安全カミソリ１００のグリップ１０を構成している本体１１の先端部は、図２及び図３に示したように、二股に分かれた連結部１５となっているものである。これら２本の連結部１５間には、図２の（イ）にも示したように、指を差し込むことができる程度の大きさの指入れ空間１６となっており、また各連結部１５の先端には、図２の（ロ）等に示したように、ヘッド２０が合成樹脂等によって一体成形されている。
【００２０】
ヘッド２０は、当然のことながら、カミソリ刃３０を支持するものであり、本実施形態では、その刃止め部２１にカミソリ刃３０の一部を嵌め込むことにより、グリップ１０の先端に、これと直交することになるカミソリ刃３０を保持するものである。また、このヘッド２０には、後述する刃カバー４０が回動自在に取り付けられるものであり、そのためのピンまたは穴２２が、図２の（ロ）及び図６の（イ）に示したように、当該ヘッド２０の両側面にそれぞれ形成してある。
【００２１】
本実施形態で採用しているカミソリ刃３０は、３枚の刃を一つのケース内にまとめて一体化したものであり、所謂替え刃としても売られているいるものである。このカミソリ刃３０の刃先とは反対側のケースには、図３にも示したように、突起ができており、この突起は本発明における第一係止部分５１となるものである。
【００２２】
なお、この第一係止部分５１は、カミソリ刃３０側の突起でなくともよく、例えばヘッド２０側に特別に形成したものであってもよいものである。
【００２３】
刃カバー４０は、合成樹脂等を材料として一体成形したものであり、図４及び図５に示したように、カミソリ刃３０とこれを保持しているヘッド２０の頂部、及びヘッド２０の側面を覆うことができるものである。勿論、この刃カバー４０をヘッド２０側に回動自在に連結するために、この刃カバー４０の両側板内側には、図４中の点線及び図５に示したように、ヘッド２０側のピンまたは穴２２に嵌合される穴またはピン４４が形成してある。
【００２４】
この刃カバー４０は、これによってカミソリ刃３０等を包み込んだとき、その閉止状態を維持しなければならないが、その維持は、図３中の実線にて示すように、刃カバー４０の先端部内側に第一係合部４１を形成しておき、この第一係合部４１を、カミソリ刃３０の刃先とは反対側にできている突起である第一係止部分５１に係合させることによりなされるのである。一方、この刃カバー４０が開放されたときの状態の維持は、図３中の仮想線及び図５の（ロ）にて示したように、刃カバー４０の穴またはピン４４に近接した部分に第二係合部４２を形成しておき、この第二係合部４２を、グリップ１０の先端部分内側に形成した第二係止部分５２に係合させることによってなされるのである。
【００２５】
【発明の効果】
以上詳述した通り、本発明においては、上記実施形態にて例示した如く、
「グリップ１０の先端に、これと直交することになるカミソリ刃３０を保持するヘッド２０を、間に指の差し入れを可能にする指入れ空間１６を形成することになる２本の略板状の連結部１５によって連結し、このヘッド２０及びこれに保持させたカミソリ刃３０を刃カバー４０によって包み込めるようにしたＴ型安全カミソリ１００において、
刃カバー４０に、これによりカミソリ刃３０等を包み込んだとき、ヘッド２０またはカミソリ刃３０に形成した第一係止部分５１に係合する第一係合部４１を形成し、
かつ、この刃カバー４０に、これが外されてグリップ１０の内側に回動されたとき、グリップ１０側の第二係止部分５２に係合する第二係合部４２を形成するとともに、
刃カバー４０がヘッド２０から外されてグリップ１０の内側に回動され、この刃カバー４０の第二係合部４２がグリップ１０側の第二係止部分５２に係合したとき、指入れ空間１６から連結部１５の反対側に差し込んだ指によって押すことのできる突出部４３を刃カバー４０に形成したこと」
にその特徴があり、これにより、刃カバー４０によるカミソリ刃３０の包み込み状態及び開放状態の両状態を確実に維持することができることは当然として、開放状態にあった刃カバー４０の再度の閉止状態への操作を、２本の連結部１５間に形成されている指入れ空間１６内に指を差し入れることにより簡単に行えるＴ型安全カミソリ１００を提供することができるのである。
【図面の簡単な説明】
【図１】本発明に係るＴ型安全カミソリであって、刃カバーを外した状態の部分拡大斜視図である。
【図２】同Ｔ型安全カミソリを示すもので、（イ）は平面図、（ロ）は側面図、（ハ）は底面図である。
【図３】同Ｔ型安全カミソリの縦断拡大側面図である。
【図４】同Ｔ型安全カミソリを構成している刃カバーを拡大して示すもので、（イ）は正面図、（ロ）は平面図、（ハ）は底面図である。
【図５】同刃カバーを拡大して示すもので、（イ）は側面図、（ロ）は縦断側面図である。
【図６】同Ｔ型安全カミソリを構成しているグリップ及びヘッドを拡大して示すもので、（イ）は部分側面図、（ロ）は部分縦断側面図である。
【図７】従来技術を示す縦断側面図である。
【符号の説明】
１００    Ｔ型安全カミソリ
１０    グリップ
１１    本体
１２    滑り止め体
１３    表面側滑り止め面
１４    裏面側滑り止め面
１５    連結部
１６    指入れ空間
２０    ヘッド
２１    刃止め部
２２    ピンまたは穴
３０    カミソリ刃
４０    刃カバー
４１    第一係合部
４２    第二係合部
４３    突出部
４４    穴またはピン
５１    第一係止部分
５２    第二係止部分
【図１】
0003951168.tif 000002
【図２】
0003951168.tif 000003
【図３】
0003951168.tif 000004
【図４】
0003951168.tif 000005
【図５】
0003951168.tif 000006
【図６】
0003951168.tif 000007
【図７】
0003951168.tif 000008